(57)【特許請求の範囲】
【請求項１】
電界伝達媒体に接触または近接した通信装置間で通信を行う受信器であって、
所定の周波数の信号を増幅し通過させると共に前記所定の周波数以外の信号を減衰または除去するための増幅・フィルタ部と、
前記電界伝達媒体に誘起された電界を検出して入力するための受信電極と、
前記受信電極から前記電界伝達媒体を経由して大地グランド間に形成されるインピーダンスを模擬して模擬インピーダンスを生成するための模擬インピーダンス部と、
前記受信電極と大地グランド間のインピーダンスと前記模擬インピーダンスとの差分を補償するために自身の内部インピーダンスを調節して補償制御動作を行うための補償用可変負荷部と、
前記補償用可変負荷部において前記補償制御動作を行う場合に閉成し、前記電界の受信時には開成するための補償用信号入力スイッチと、
前記電界の受信時には受信した信号を復調して当該信号を変調したデータを再生して、前記補償用可変負荷部において前記補償制御動作を行う場合には補償制御信号を出力するための復調・補償制御部と、
を備えることを特徴とする受信器。
【請求項２】
前記模擬インピーダンスは、
前記電界伝達媒体と前記受信電極間に形成される浮遊容量と等価な第１の容量と、
前記電界伝達媒体と前記大地グランド間に形成される浮遊容量と等価な第２の容量と、
を備えることを特徴とする請求項１に記載の受信器。
【請求項３】
前記復調・補償制御部は、
模擬インピーダンス調整信号を生成して前記模擬インピーダンス部に入力し前記模擬インピーダンスを調整すること
を特徴とする請求項１または２に記載の受信器。
【請求項４】
前記模擬インピーダンス部は、
前記模擬インピーダンス調整信号によりリアクタンス値が制御される可変リアクタンスを備えること
を特徴とする請求項３に記載の受信器。
【請求項５】
電界伝達媒体に接触または近接した通信装置間で通信を行う受信器であって、
所定の周波数の信号を増幅し通過させると共に前記所定の周波数以外の信号を減衰または除去するための増幅・フィルタ部と、
前記電界伝達媒体に誘起された電界を検出して入力するための受信電極と、
前記受信電極から前記電界伝達媒体を経由して大地グランド間に形成されるインピーダンスを模擬して模擬インピーダンスを可変に生成するための可変模擬インピーダンス部と、
前記受信電極と前記大地グランド間のインピーダンスの変化を自身のリアクタンス値を可変して抑制するための可変入力リアクタンス部と、
受信時には送信側送信器の出力インピーダンスを変調したデータを前記受信電極と前記大地グランド間のインピーダンスの変化を検出して復調し、前記可変模擬インピーダンス部の模擬インピーダンスを調整するための模擬ンピーダンス調整・切替信号と、前記可変入力リアクタンス部のリアクタンス値を制御するための入力リアクタンス制御信号とを出力するための復調・補償制御部と、
を備えることを特徴とする受信器。
【請求項６】
請求項１〜５に記載の受信器と、
送信すべき情報に基づく電界を電界伝達媒体に誘起することによって情報を送信するための送信器と、
を備えることを特徴とするトランシーバ。
【請求項７】
前記模擬インピーダンスに前記送信器の回路グランドと前記大地グランド間の浮遊容量と等価な第３の容量を備えること
を特徴とする請求項６に記載のトランシーバ。
【発明の詳細な説明】
【技術分野】
【０００１】
本発明は、電界を伝達する電界伝達媒体に誘起する電界を用いて情報の送受信を行う電界通信システムで用いる受信器およびトランシーバに関する。
【背景技術】
【０００２】
携帯端末の小型化および高性能化により、生体に装着可能なウェアラブルコンピュータが注目されてきている。従来、このようなウェアラブルコンピュータ間の情報通信として、コンピュータに電界通信トランシーバを接続して装着し、この電界通信トランシーバが誘起する電界を、電界伝達媒体である生体を介して伝達させることによって、情報の送受信を行う方法が提案されている。（特許文献１参照）
【０００３】
従来の電界通信（図１３参照）においては、アプリケーションによって受信器１００に接続された受信電極１０４のサイズが異なる。また、設置場所によっては受信電極１０４のサイズだけでなく、電極と大地グランド間の間隔も異なるため、アプリケーションによって電極と大地グランド間のインピーダンス（アドミタンス）Ｂｅｌが異なっていた。
【０００４】
図１４（ａ）（ｂ）に従来の電界通信における回路モデルを示す。
【０００５】
この図１４（ｂ）中のＣgは送信器回路グランドと大地グランド間の浮遊容量を表している。Ｃb1とＣb2は人体と受信電極間の容量、人体と大地グランド間の容量を表す。また、Ｚelは受信電極と大地グランド間のインピーダンスを表している。
【０００６】
受信器によって人体には大地グランドとの間にＶbの電圧が印加される。この電圧ＶbがＣb1を介して受信電極に印加されることにより、受信器にＶrcvの電圧が入力される。Ｖrcvの大きさはＣb1のインピーダンスとＺelの比によって変化するため、Ｖbが一定でもＺelが異なればＶrcvは異なっていた。
【０００７】
また、特開２００７−２９５１９２（特許文献２）に記載された通信においても、設置場所や受信電極サイズが異なると通信環境が変化する。この通信では人体等の通信媒体が携帯したインピーダンス変調送信器の出力インピーダンスを通信すべきデータに基づいて変調することにより、人体等の通信媒体と大地グランド間のインピーダンスが変化する。上記送信器を携帯した人体等の通信媒体に受信器の受信電極が接触または近接すると、受信電極と大地グランド間のインピーダンスも上記送信器の出力インピーダンスの変化に応じて変化する。この変化は通信すべきデータに基づいており、インピーダンスの変化からデータを復調できる。この通信においては、受信器で検出すべきインピーダンス（またはアドミタンス）と通信とは関係ないインピーダンス（またはアドミタンス）の分離の処理を行う必要があり、設置場所や受信電極サイズ毎に手動で調整するのは時間と労力がかかった。
【特許文献１】特許第３７５９０９９号
【特許文献２】特開２００７−２９５１９２号公報
【発明の開示】
【発明が解決しようとする課題】
【０００８】
従来の技術においては、設置場所や受信電極サイズが異なるとＺelが異なるため、設置場所や受信電極サイズによっては通信ができなくなる場合があった。
【０００９】
本発明は前記課題に鑑みてなされたもので、その目的は、設置場所や受信電極サイズが異なることによるインピーダンスの変化を補償することができ、通信環境への依存度を低減した受信器およびトランシーバを提供することにある。
【課題を解決するための手段】
【００１０】
前記の目的を達成するために、請求項１に記載の本発明は、電界伝達媒体に接触または近接した通信装置間で通信を行う受信器であって、所定の周波数の信号を増幅し通過させると共に前記所定の周波数以外の信号を減衰または除去するための増幅・フィルタ部と、前記電界伝達媒体に誘起された電界を検出して入力するための受信電極と、前記受信電極から前記電界伝達媒体を経由して大地グランド間に形成されるインピーダンスを模擬して模擬インピーダンスを生成するための模擬インピーダンス部と、前記受信電極と大地グランド間のインピーダンスと前記模擬インピーダンスとの差分を補償するために自身の内部インピーダンスを調節して補償制御動作を行うための補償用可変負荷部と、前記補償用可変負荷部において前記補償制御動作を行う場合に閉成し、前記電界の受信時には開成するための補償用信号入力スイッチと、前記電界の受信時には受信した信号を復調して当該信号を変調したデータを再生して、前記補償用可変負荷部において前記補償制御動作を行う場合には補償制御信号を出力するための復調・補償制御部と、を備える。
【００１１】
また、請求項２に記載の本発明は、請求項１において、前記模擬インピーダンスは、前記電界伝達媒体と前記受信電極間に形成される浮遊容量と等価な第１の容量と、前記電界伝達媒体と前記大地グランド間に形成される浮遊容量と等価な第２の容量と、を備える。
【００１２】
また、請求項３に記載の本発明は、請求項１または２において、前記復調・補償制御部は、模擬インピーダンス調整信号を生成して前記模擬インピーダンス部に入力し前記模擬インピーダンスを調整する。
【００１３】
また、請求項４に記載の本発明は、請求項３において、前記模擬インピーダンス部は、前記模擬インピーダンス調整信号によりリアクタンス値が制御される可変リアクタンスを備える。
【００１４】
また、請求項５に記載の本発明は、電界伝達媒体に接触または近接した通信装置間で通信を行う受信器であって、所定の周波数の信号を増幅し通過させると共に前記所定の周波数以外の信号を減衰または除去するための増幅・フィルタ部と、前記電界伝達媒体に誘起された電界を検出して入力するための受信電極と、前記受信電極から前記電界伝達媒体を経由して大地グランド間に形成されるインピーダンスを模擬して模擬インピーダンスを可変に生成するための可変模擬インピーダンス部と、前記受信電極と前記大地グランド間のインピーダンスの変化を自身のリアクタンス値を可変して抑制するための可変入力リアクタンス部と、受信時には送信側送信器の出力インピーダンスを変調したデータを前記受信電極と前記大地グランド間のインピーダンスの変化を検出して復調し、前記可変模擬インピーダンス部の模擬インピーダンスを調整するための模擬ンピーダンス調整・切替信号と、前記可変入力リアクタンス部のリアクタンス値を制御するための入力リアクタンス制御信号とを出力するための復調・補償制御部と、を備える。
【００１５】
また、請求項６に記載の本発明は、請求項１〜５に記載の受信器と、送信すべき情報に基づく電界を電界伝達媒体に誘起することによって情報を送信するための送信器と、を備える。
【００１６】
また、請求項７に記載の本発明は、請求項６において、前記模擬インピーダンスに前記送信器の回路グランドと前記大地グランド間の浮遊容量と等価な第３の容量を備える。
【発明の効果】
【００１７】
本発明によれば、設置場所や受信電極サイズが異なることによるインピーダンスの変化を補償することができ、通信環境への依存度を低減した受信器およびトランシーバを提供することができる。
【発明を実施するための最良の形態】
【００１８】
＜第１の実施の形態＞
図１に本発明に係る第１の実施の形態のブロック図を示す。
【００１９】
この図１において、受信電極８と大地グランド間のインピーダンスを補償するために補償用可変負荷部６を増幅・フィルタ部４の入力に接続している。復調・補償制御部３では、送信器において送信された通信すべき情報に基づくデータで所定の周波数の搬送波が変調された信号を受信し、増幅・フィルタ部４を通過した信号を復調して前記データを再生する。
【００２０】
また、受信器１の起動時には受信電極８に人体が接触していない状態で補償用可変負荷部６のインピーダンス（アドミタンス）を適切な値に調節する補償制御動作を行う。模擬インピーダンス部５は、受信電極８に接続される受信電極−大地グランド間のインピーダンス以外のインピーダンスを模擬し、調整時に使用される。
【００２１】
補償用信号入力ＳＷ７は、補償制御動作時にオンになり補償用信号を受信電極−大地グランド間のインピーダンスと補償用可変負荷部６に入力し、受信時にはオフになって受信電極−大地グランド間のインピーダンスおよび補償用可変負荷部６と補償用信号源との接続を切断する。
【００２２】
次に、図２の通信システムの回路モデルを用いて調整の原理を説明する。
【００２３】
この図２中のＣgは送信器回路グランドと大地グランド間の浮遊容量を表している。Ｃb1とＣb2は人体と受信電極８との間の容量、人体と大地グランド間の容量を表す。図２では考察を簡単にするために受信電極８と大地グランド間のサセプタンスＢｅｌ９を定義している。また、Ｙrcv＝Ｇrcv＋ｊＢrcvは補償用可変負荷部６のアドミタンスである。
【００２４】
はじめに説明を簡単にするために人体に印加された大地グランドとの電圧Ｖbを一定として説明する。受信器１へ入力される受信信号Ｖrcvは以下の式で表される。
【００２５】
【数１】
0004996515.tif 000002
【００２６】
この式（１）でＢrcv＝Ｂｅｌ９−ωＣb1と調節したときに｜Ｖrcv｜は最大となる。したがって予め人体と受信電極８の間の容量を想定して模擬インピーダンス部５を１／ｊωＣb1とし、Ｖrcvが最大となるようにＢrcvを調節することにより、設置場所や受信電極８のサイズが異なることによるＢｅｌ９の変化を補償することができる。また、必要な帯域幅を確保するためにＧrcvを使用している。
【００２７】
次の図３に復調・補償制御部３の構成例を示す。
【００２８】
補償制御起動信号が入力されると補償制御部１０が起動するとともに復調動作開始信号を停止して復調部１１の復調動作を停止させる。次に信号源起動信号により信号源１４から所定の周波数の補償用信号を出力させる。補償制御信号源１３は設定信号に基づいて補償用可変負荷部６のサセプタンスＢrvcを制御するための補償制御信号を出力する。振幅検波部１２では受信電極−大地グランド間のインピーダンスと補償用可変負荷部６に入力された補償用信号を検波しその振幅を出力する。
【００２９】
補償制御部１０から設定信号を補償制御信号源１３に入力して、そのサセプタンス値での受信電極−大地グランド間のインピーダンスと補償用可変負荷部６に入力された補償用信号の振幅値が得られる。
【００３０】
そして順次に設定信号を変えて、その設定信号での振幅値を得ることにより、振幅が最大となる設定信号を得ることができる。すべての設定信号で振幅値が得られたら、振幅が最大となる設定信号を補償制御信号源１３に入力して最適なサセプタンス値に固定する。最後に、信号源起動信号により補償用信号を停止し補償制御動作を終了するとともに復調動作開始信号を入力して復調部１１の復調動作を開始する。
【００３１】
上述では振幅値を得て振幅が最大となる設定信号を求めたが、振幅値が所定の値以上になる設定信号の下限値と上限値を平均して振幅が最大となる設定信号を求めてもよい。復調部１１に振幅検波部１２がある場合には復調部内の振幅検波部１２を使用してもよい。また、復調部１１が所定の周波数を出力する信号源１４を有する場合には、復調部１１内の信号源から補償用信号を生成してもよい。以上の構成により、設置場所や受信電極８のサイズが異なることによるインピーダンスの変化を補償でき、通信環境への依存度が低減された受信器を提供できる。
【００３２】
＜第２の実施の形態＞
前述の第１の実施の形態における式（１）ではＶbが一定としていたが、Ｖgを一定としてＶsから出力される信号を効率よく受信器１に入力する構成にすることも可能である。図２の回路モデルの等価回路を図４（ａ）に示す。この等価回路からＶsに流れる電流をＩsとするとＶsとＶbには以下の式（２）が成立する。
【００３３】
【数２】
0004996515.tif 000003
【００３４】
この式（２）からも分かるように、ＣgとＣtはＶsから見てＶbと直列に接続されており、図４（ａ）の等価回路は図４（ｂ）に示すようにＣgとＣtを直列に接続した回路に変更できる。
【００３５】
図４（ｂ）の等価回路からＶsから出力される信号を効率よく受信器１に入力するために必要な模擬インピーダンスを図５に示す回路にすればよいことが分かる。
【００３６】
この図５中のＣb1rとＣb2rには、予め人体と受信器１の受信電極８の間の容量、人体と大地グランド間の容量を想定してそれぞれ値を決める。模擬インピーダンス部５による以外の補正制御に関しては図１と図３を用いた説明と同じである。ここで、容量Ｃtは送信器信号電極が人体に近づけば十分大きくなるため実際には無視できる。
【００３７】
ここで、特許第３８４２７６３号に開示されるような送信器内のリアクタンス部と浮遊容量Ｃb、Ｃgとの間で共振を起こして効率よく電圧を人体に印加する送信器を使用した場合の回路モデルを図６に示す。
【００３８】
この図６に参照される方法では、送信器の信号源と送信器信号電極との間に可変リアクタンスＸvが挿入される。実際には人体に印加される電圧Ｖbが共振現象により最大になるように可変リアクタンス部Ｘvのリアクタンス値を調整する制御部を設けるが図示していない。また、図６に示す送信器では信号源の出力抵抗や可変リアクタンス部の寄生抵抗で構成される送信回路の出力抵抗Ｒsが人体に印加される電圧Ｖbに影響するため、送信回路の出力抵抗Ｒsを図示している。
【００３９】
次の図７に、すでに図６に示した回路モデルの等価回路を示す。
【００４０】
この図７中の破線から左の部分の回路のアドミタンスをＹbとすると、Ｖbは以下の式で表される。
【００４１】
【数３】
0004996515.tif 000004
【００４２】
また、送信器信号電極と送信器回路グランド間の電位差Ｖtは以下の式で表される。
【００４３】
【数４】
0004996515.tif 000005
【００４４】
式（３）と式（４）よりＶbとＶtには以下の関係式が成立する。
【００４５】
【数５】
0004996515.tif 000006
【００４６】
このようにして送信器側の制御ではＸvのみを変化させて｜Ｖt｜を最大にする。式（５）ではＸvで変化するのはＶtのみであるため、｜Ｖb｜のＸvを変化させたときに最大となるＸvの値は、｜Ｖt｜のＸvを変化させたときに最大となるＸvの値に等しい。したがって、式（１）から｜Ｖrcv｜のＸvを変化させたときに最大となるＸvの値も、｜Ｖt｜のＸvを変化させたときに最大となるＸvの値に等しくなる。
【００４７】
この関係を利用した本発明の第２の実施の形態を図８に示す。
【００４８】
受信器１の起動時の補償制御動作開始時に、受信電極−大地グランド間のインピーダンスと補償用可変負荷部６に入力された補償用信号の振幅が最大になるように模擬インピーダンス調整信号により模擬インピーダンス部５の模擬インピーダンス（内部インピーダンス）を調整する。
【００４９】
図９に模擬インピーダンスの構成例を示す。
【００５０】
予め人体と受信電極８との間の容量、人体と大地グランド間の容量を想定してＣb1rとＣb2rを決める。Ｃgも同様である。Ｃtは送信器信号電極が人体に近づけば十分大きくなるため実際には無視できる。
【００５１】
Ｘvrは可変リアクタンスであり、リアクタンス値の可変範囲が送信器の可変リアクタンスと同じか包含する可変範囲を有すればよい。Ｒsrは信号源の出力抵抗であるが、必ずしも送信器側と同じにする必要は無い。模擬インピーダンス調整信号によりＸvrの値を制御して、受信電極−大地グランド間のインピーダンスと補償用可変負荷部６に入力された補償用信号の振幅を最大にする。
【００５２】
一方、送信器側では等価的に可変リアクタンスと容量（Ｃg-1＋Ｃt-1）-1の間のノードと回路グランド間の電圧振幅をモニタしてＸvを制御するが、前記の関係により受信電極−大地グランド間のインピーダンスと補償用可変負荷部６に入力された補償用信号の振幅をモニタして調整してもよい。
【００５３】
この後、受信電極−大地グランド間のインピーダンスと補償用可変負荷部６に入力された補償用信号の振幅が最大になるように補償用可変負荷部６のサセプタンスを制御する。厳密にはＶb（またはＶrcv）が最大となる最適なＸv（もしくはＸvr）はＹrcvにも依存するが、通常容量（Ｃg-1＋Ｃt-1）-1のインピーダンスがＹrcv-1よりも大きいためＹrcvの変化は無視できる。補正制御に関しては図１と図３を用いた説明と同じである。
【００５４】
以上の構成でも設置場所や受信電極サイズが異なることによるインピーダンスの変化を補償した通信環境への依存度が低減された受信器を提供できる。
【００５５】
＜第３の実施の形態＞
図１０に本発明の第３の実施の形態のブロック図を示す。
【００５６】
本実施の形態では、たとえばすでに知られた特開２００７−２９５１９２に記載されるような既存の通信技術において、それらの技術に適用される受信器に対し、設置場所や受信電極のサイズが異なることによるインピーダンスの変化を補償する機能を備えさせたことに特徴を有する。
【００５７】
従来の技術である特開２００７−２９５１９２に記載された通信では、人体等の通信媒体が携帯した図示しないインピーダンス変調送信器の出力インピーダンスを通信すべきデータに基づいて変調することにより、人体等の通信媒体と大地グランド間のインピーダンスが変化する。
【００５８】
このような送信器を携帯した人体等の通信媒体に受信器の受信電極が接触または近接すると、受信電極と大地グランド間のインピーダンスも前記送信器の出力インピーダンスの変化に応じて変化する。この変化は通信すべきデータに基づいており、インピーダンスの変化からデータを復調できる。
【００５９】
このような通信においても設置場所や受信電極のサイズが異なることによるインピーダンスの変化を補償することにより、受信器で検出すべきインピーダンス（またはアドミタンス）とその他のインピーダンス（またはアドミタンス）の分離の処理を容易にすることができる。
【００６０】
次に示す図１０においては、設置場所や受信電極８のサイズが異なることによるインピーダンスの変化の補償や人体等の通信媒体が、受信電極８に接触または近接した時の受信電極８と大地グランド間のインピーダンスの変化の抑制をするために、可変入力リアクタンス部２１を使用した構成例を示している。
【００６１】
復調・補償制御部３では入力リアクタンス制御信号により可変入力リアクタンス部２１を制御するとともに、インピーダンスの変化を検出してデータを復調する。設置場所や受信電極８のサイズが異なることによるインピーダンスの変化の補償に関しては受信器１の起動時に行う。
【００６２】
また、受信電極８と大地グランド間のインピーダンスは人体等の通信媒体が受信電極８に接触または近接したときでも変化する。このため、設置場所や受信電極８のサイズが異なることによるインピーダンスの変化の補償後では、受信電極８と大地グランド間のインピーダンスの変化を抑制する制御をおこなう。通信すべきデータによる受信電極８と大地グランド間のインピーダンスの変化を人体等の通信媒体が受信電極８に接触または近接した時の変化よりも早くすることにより、データと人体等の通信媒体の接触または近接による変化を分離する。
【００６３】
検出用信号源２５から可変模擬インピーダンス部２０を介して受信電極とグランド間に接続された可変入力リアクタンス部２１に所定の周波数の検出用信号を入力する。受信電極８と大地グランド間のインピーダンスが変化した場合には、可変入力リアクタンス部２１に印加された検出用信号の振幅および位相が変化する。
【００６４】
可変入力リアクタンス部２１に印加された信号を増幅・フィルタ部４で増幅しフィルタリングして、外部から受信電極８に印加された雑音を除去する。インピーダンス検出復調・制御部２２では信号検出部２４で増幅・フィルタ部４の出力信号と検出用信号源２５の基準信号をミキシングして可変入力リアクタンス部２１に印加された信号を抽出する。このとき検出用信号と同相の信号を基準信号とすれば、信号検出部２４で受信電極８と大地グランド間のインピーダンスの抵抗成分が抽出され、９０°位相をずらした信号を基準信号とすれば、リアクタンス成分が抽出される。信号検出出力の高調波成分をフィルタで除去した後に波形整形を行い出力する。
【００６５】
受信制御・データ判定部２３では信号検出部２４の出力の変化の早い信号成分を分離し、信号変化のパターン等からデータを判定する。データと判定された場合には復調したデータを情報機器２に出力する。通信すべきデータがパケットで構成されている場合では、送信器側でパケット内に、たとえばパケット先頭に通信すべきパケットであることを示す固有のデータを入れておく。受信器１側では復調後に固有のデータを識別してパケットを抽出して、そのパケットを情報機器２に出力する。
【００６６】
受信時の可変入力リアクタンス部２１の制御に関しては、信号検出部２４の出力の変化の遅い信号成分を基にして、受信電極８と大地グランド間のインピーダンスの変化を抑制するように入力リアクタンス制御信号を決定し、可変入力リアクタンス部２１に出力する。
【００６７】
可変模擬インピーダンス部２０は、設置場所や受信電極８のサイズが異なることによるインピーダンスの変化の補償時には、受信電極８に接続される受信電極−大地グランド間のインピーダンス以外のインピーダンスを模擬した構成となる。また、受信時には検出用インピーダンスとなり、これらを切替信号により切替える。
【００６８】
次の図１１に可変模擬インピーダンス部２０の構成例を示す。
【００６９】
設置場所や受信電極８のサイズが異なることによるインピーダンスの変化の補償時には切替スイッチＳＷ（１）２６と切替スイッチＳＷ（２）２７のｓ１とｓ２を接続し、受信時にはｓ１とｓ３を接続して検出用インピーダンス２８を受信電極８に接続する。可変模擬インピーダンス部２０内の可変リアクタンスＸｖｒに関しては、送信器の出力インピーダンスと通信すべきデータによる変調時の前記出力インピーダンスの変化量を基に決める。図１１では切替信号と模擬インピーダンス調整信号を別々に記載したが、図１０では簡潔に記載するために両者を合わせた模擬インピーダンス調整・切替信号として記載した。
【００７０】
受信器１の起動は情報機器２からの起動信号により行われる。起動信号が入力されると設置場所や受信電極サイズが異なることによるインピーダンスの変化の補償を行い、その後に受信動作となり、人体等の通信媒体が受信電極８に接触または近接した時の制御とデータの復調を行う。再び、設置場所や受信電極８のサイズが異なることによるインピーダンスの変化の補償をしたい場合には、起動信号を再度入力する。
【００７１】
＜第４の実施の形態＞
図１２に本発明の第４の実施の形態のブロック図を示す。
【００７２】
本実施の形態では送信部３０も備えたトランシーバ５０となっている。送受切替信号により送信時は送受切替ＳＷ３１のａ１とｃ１が接続され、送信データにより変調された所定の周波数の信号が送受信電極５１に出力される。
【００７３】
受信時と補償制御時には送受切替信号により送受切替ＳＷ３１のａ１とｂ１が接続される。このようなトランシーバ５０においても、第２の実施の形態のように浮遊容量Ｃb、Ｃgとの共振を利用した場合の模擬インピーダンス部５の構成を使用することができる。この場合では復調・補償制御部３から模擬インピーダンス制御信号を模擬インピーダンス部５に出力して、模擬インピーダンス部５内の図示しない可変リアクタンスを制御する。
【図面の簡単な説明】
【００７４】
【図１】本発明の第１の実施の形態に係るブロック図を示す。
【図２】通信システムの回路モデルを説明するための説明図を示す。
【図３】本発明の第１の実施の形態に係る復調・補償制御部の一例の構成図を示す。
【図４】通信システムの回路モデルの一例の等価回路図を示す。
【図５】模擬インピーダンスの一例の構成図を示す。
【図６】送信器に浮遊容量Ｃb、Ｃgとの共振を利用した場合の回路モデルを説明するための説明図を示す。
【図７】図６に示した回路モデルの等価回路図を示す。
【図８】本発明の第２の実施の形態に係るブロック図を示す。
【図９】本発明の第２の実施の形態に係る模擬インピーダンス部の一例の構成図を示す。
【図１０】可変入力リアクタンス部を使用した一例の構成図を示す。
【図１１】可変模擬インピーダンス部の一例の構成図を示す。
【図１２】本発明の第４の実施の形態に係るブロック図を示す。
【図１３】従来技術による通信システムを説明するための説明図を示す。
【図１４】従来技術における電界通信システムの回路モデルを説明するための説明図を示す。
【符号の説明】
【００７５】
１…受信器
２…情報機器
３…復調・補償制御部
４…増幅・フィルタ部
５…模擬インピーダンス部
６…補償用可変負荷部
７…補償用信号入力ＳＷ
８…受信電極
９…Ｂｅｌ
１０…補償制御部
１１…復調部
１２…振幅検波部
１３…補償制御信号源
１４…信号源
２０…可変模擬インピーダンス部
２１…可変入力リアクタンス部
２２…インピーダンス検出復調・制御部
２３…受信器制御・データ判定部
２４…信号検出部
２５…検出用信号源
２６…切替ＳＷ（１）
２７…切替ＳＷ（２）
２８…検出用インピーダンス
５０…トランシーバ
５１…送受信電極
【図１】
0004996515.tif 000007
【図２】
0004996515.tif 000008
【図３】
0004996515.tif 000009
【図４】
0004996515.tif 000010
【図５】
0004996515.tif 000011
【図６】
0004996515.tif 000012
【図７】
0004996515.tif 000013
【図８】
0004996515.tif 000014
【図９】
0004996515.tif 000015
【図１０】
0004996515.tif 000016
【図１１】
0004996515.tif 000017
【図１２】
0004996515.tif 000018
【図１３】
0004996515.tif 000019
【図１４】
0004996515.tif 000020